(57)【特許請求の範囲】
【請求項１】
ディスクメディアがセットされ、このディスクメディアに記録されている映像を再生するディスク再生装置に接続され、このディスク再生装置が再生した映像を記憶するキャッシュ装置であって、
再生する映像の識別データとして、ディスクメディアを識別するディスク番号およびそのディスクメディアにおける順番の入力を受け付ける入力手段と、
前記ディスク再生装置に動作を指示する指示手段と、
前記ディスク再生装置が再生した映像に前記識別データを付して記憶する記憶手段と、
ディスクメディアに記録されたＴＯＣを記録するためのＴＯＣテーブルを記憶するＴＯＣ記憶手段と、
利用者への作業指示を報知する報知手段と、
前記入力手段が識別データの入力を受け付けたとき、この識別データに対応する映像が前記記憶手段に記憶されているかを検索する制御手段と、を備え、
前記入力手段が識別データの入力を受け付けたときに、前記記憶手段に前記識別データに対応する映像が記憶されていない場合、
前記報知手段は、ディスクメディアのセットを指示する旨を報知し、
前記指示手段は、ディスクメディアがセットされるとそのディスクメディアに記録されたＴＯＣを読み取って出力するように前記ディスク再生装置に指示し、
前記制御手段は、前記ＴＯＣテーブルを参照して、前記ディスク再生装置が読み取ったＴＯＣが前記ＴＯＣテーブルに無い場合には、そのＴＯＣを各ディスク面の識別情報として前記ＴＯＣテーブルに記録し、前記ディスク再生装置が読み取ったＴＯＣが前記ＴＯＣテーブルに有る場合には、セットされたディスクメディアが、前記入力手段が受け付けた識別データに対応するものか否かを確認して、その結果に応じた処理を行うキャッシュ装置。
【請求項２】
前記ディスク再生装置が読み取ったＴＯＣが前記ＴＯＣテーブルに有る場合、
前記セットされたディスクメディアのＴＯＣが前記入力手段が受け付けた識別データに対応するＴＯＣと一致すると、前記指示手段は前記ディスク再生装置にそのディスクメディアの再生を指示し、
セットされたディスクメディアのＴＯＣが前記入力手段が受け付けた識別データに対応するＴＯＣと一致しないと、前記報知手段はディスクメディアの入れ替えを指示する請求項１に記載のキャッシュ装置。
【請求項３】
前記ディスク再生装置が再生した映像または前記制御手段が読み出した映像のいずれかを切り換えて後段の装置に出力する切換手段を備え、
前記制御手段は、前記入力手段が識別データの入力を受け付けたときに、この識別データに対応する映像が前記記憶手段に記憶されている場合、前記指示手段でディスクのセットを指示することなく、前記記憶手段からこの映像を読み出して出力する請求項１または請求項２に記載のキャッシュ装置。
【請求項４】
前記記憶手段に記憶した映像の読み出しを許可する認証情報を記憶する認証媒体がセットされる認証媒体セット手段を備え、
前記制御手段は、前記記憶手段に記憶されている映像に対応する識別データの入力を前記入力手段が受け付けたとき、この映像の認証情報が前記認証媒体に記憶されているかを検査し、記憶されている場合のみ前記記憶手段から該映像を読み出す請求項２または３に記載のキャッシュ装置。
【発明の詳細な説明】
【０００１】
【発明の属する技術分野】
この発明は、ディスクメディアに記録されている映像をキャッシュするキャッシュ装置に関する。
【０００２】
【従来の技術】
現在カラオケ装置として最も普及しているものは、ＭＩＤＩなどのシーケンスデータに基づいて音源を駆動する音源カラオケ装置であるが、音源カラオケ装置が普及する以前からよく用いられているカラオケ装置に、カラオケ曲の音声や映像を記録したレーザディスク（ＬＤ：商標）等のディスクメディアを再生することによってカラオケ曲の演奏を行ういわゆるレーザカラオケ装置がある。
【０００３】
レーザカラオケ装置は、長年使用されて古いものが多いが、音源カラオケ装置とちがって生楽器の演奏が録音され、各カラオケ曲に対応した映像が焼きこまれているディスクメディアを再生するものであるためファンが多く、音源カラオケ装置に置き換えられずに長期間そのまま使い続けられているものも多い。
【０００４】
【発明が解決しようとする課題】
しかし、レーザカラオケ装置は、ディスクドライブなどの駆動部があるため、耐用年数に限りがある。また、ディスクメディアもトレイにセットしたりラックに収納したりする作業時に傷がつく可能性があり永遠に使いつづけることは困難であるという問題点があった。また、レーザカラオケ装置は、ディスクメディアのセットなどの物理的な作業が必要であるため、リクエストがあってから映像等の再生がスタートするまでに長い時間かかるという問題点もあった。
【０００５】
この発明は、映像等が記録されたディスクメディアおよびこのディスクメディアを使用するディスク再生装置の負担を軽減することのできるキャッシュ装置を提供することを目的とする。
【０００６】
【課題を解決するための手段】
請求項１の発明は、ディスクメディアがセットされ、このディスクメディアに記録されている映像を再生するディスク再生装置に接続され、このディスク再生装置が再生した映像を記憶するキャッシュ装置であって、
再生する映像の識別データとして、ディスクメディアを識別するディスク番号およびそのディスクメディアにおける順番の入力を受け付ける入力手段と、
前記ディスク再生装置に動作を指示する指示手段と、
前記ディスク再生装置が再生した映像に前記識別データを付して記憶する記憶手段と、
ディスクメディアに記録されたＴＯＣ記録するためのＴＯＣテーブルを記憶するＴＯＣ記憶手段と、
利用者への作業指示を報知する報知手段と、
前記入力手段が識別データの入力を受け付けたとき、この識別データに対応する映像が前記記憶手段に記憶されているかを検索する制御手段と、を備え、
前記入力手段が識別データの入力を受け付けたときに、前記記憶手段に前記識別データに対応する映像が記憶されていない場合、
前記報知手段は、ディスクメディアのセットを指示する旨を報知し、
前記指示手段は、ディスクメディアがセットされるとそのディスクメディアに記録されたＴＯＣを読み取って出力するように前記ディスク再生装置に指示し、
前記制御手段は、前記ＴＯＣテーブルを参照して、前記ディスク再生装置が読み取ったＴＯＣが前記ＴＯＣテーブルに無い場合には、そのＴＯＣを各ディスク面の識別情報として前記ＴＯＣテーブルに記録し、前記ディスク再生装置が読み取ったＴＯＣが前記ＴＯＣテーブルに有る場合には、セットされたディスクメディアが、前記入力手段が受け付けた識別データに対応するものか否かを確認して、その結果に応じた処理を行うことを特徴とする。
【０００７】
ＬＤなどのディスクメディアに記録されている映像を手差しの再生装置で再生する場合、その映像がどのディスクメディアのものであるかは装置において認識することができない。そこで、この発明では、ディスクメディアに記録されたＴＯＣをＴＯＣテーブルに記録しておき、入力手段で識別データ（例えば曲番号）の入力を受け付けると、ＴＯＣの有無を確認して、ＴＯＣがＴＯＣテーブルに無い場合にはＴＯＣテーブルに記録し、ＴＯＣがＴＯＣテーブルに有る場合には入力を受け付けた識別データに対応するものか否かを確認して、その結果に応じた処理を行う。これにより、どのディスクメディアがセットされたか、及びセットされたディスクメディアが正しいか否かを知ることができ、ディスクメディアのセット間違いがなくなるとともに、記憶する映像に識別データのラベルを付すことができるようになる。
ここで、この明細書における曲番号、ディスク番号の語は、ともにカラオケ曲およびディスクメディアを識別するための識別データを指す語であり、単に数字のみからなる番号に限定されず、文字や記号を含むものも包含している。また、ディスクメディアには両面にカラオケ曲の音声等が記録された両面ディスクが存在するが、このディスク番号の語は、ディスクそのものの番号のみを指す場合とディスクそのものの番号およびＡ／Ｂ面の別を含めて用いる場合もあるものとする。
また、この明細書において、曲番号は全カラオケ曲をユニークに識別する識別データを指し、曲番は１枚のディスクメディアの１面に記憶されている複数のカラオケ曲の中での順番を指すものとする。
【０００８】
請求項２の発明は、前記ディスク再生装置が読み取ったＴＯＣが前記ＴＯＣテーブルに有る場合、
前記セットされたディスクメディアのＴＯＣが前記入力手段が受け付けた識別データに対応するＴＯＣと一致すると、前記指示手段は前記ディスク再生装置にそのディスクメディアの再生を指示し、
セットされたディスクメディアのＴＯＣが前記入力手段が受け付けた識別データに対応するＴＯＣと一致しないと、前記報知手段はディスクメディアの入れ替えを指示することを特徴とする。
【０００９】
この発明は、前記ディスク再生装置にセットされたディスクメディアのＴＯＣがＴＯＣテーブルに有る場合、そのＴＯＣが、入力手段が受け付けた識別データに対応するＴＯＣと一致すると、指示手段はディスク再生装置にそのディスクメディアの再生を指示し、そのＴＯＣが、入力手段が受け付けた識別データに対応するＴＯＣと一致しないと、報知手段はディスクメディアの入れ替えを指示する。したがって、セットされたディスクメディアが正しいか否かを知ることができ、ディスクメディアのセット間違いを防止できる。
【００１０】
請求項３の発明は、請求項１、２の発明において、前記ディスク再生装置が再生した映像または前記制御手段が読み出した映像のいずれかを切り換えて後段の装置に出力する切換手段を備え、
前記制御手段は、前記入力手段が識別データの入力を受け付けたときに、この識別データに対応する映像が前記記憶手段に記憶されている場合、前記指示手段でディスクのセットを指示することなく、前記記憶手段からこの映像を読み出して出力することを特徴とする。
【００１１】
この発明では、後段にたとえばモニタなどの装置を接続し、まだキャッシュ（記憶）していない映像の識別データが入力された場合には、上記のように利用者にそのディスクメディアのセットを指示し、再生されたカラオケ曲の映像等を記憶する。一方、すでにキャッシュしている映像の識別データが入力された場合には、ディスク再生装置でその映像を再生させることなく、キャッシュしているその映像を読み出して後段に出力する。これにより、既にキャッシュしている映像については、ディスクメディアのセットなどの面倒な作業をする必要なく映像を再生することができる。
【００１４】
請求項４の発明は、請求項３の発明において、記憶手段に記憶した映像の読み出しを許可する認証情報を記憶する認証媒体がセットされる認証媒体セット手段を備え、制御手段は、記憶手段に記憶されている映像に対応する識別データの入力を入力手段が受け付けたとき、この映像の認証情報が前記認証媒体に記憶されているかを検査し、記憶されている場合のみ記憶手段から該映像を読み出すことを特徴とする。
【００１５】
例えば、映像には、著作権管理が厳格なものが存在する。このような場合には、映像を記憶手段にキャッシュしても、ディスクメディアの存在が確認できなければこれを読み出すことはできなかった。しかし、ディスクメディアの存在を確認する作業はディスクメディアを再生する作業と同様の手間がかかり、これを行う場合には、キャッシュデータを読み出して待ち時間なく映像の再生をスタートするという利点が生かせなくなる。また、ディスクメディアやディスク再生装置の傷みを防止するという利点も生かせなくなる。そこで、ディスクメディアに代えて認証媒体を装置にセットし、この認証媒体の認証情報でディスクメディアの存在に代え、これによって上記利点を確保した。
【００１６】
【発明の実施の形態】
図１は、この発明の実施形態である楽曲キャッシュ装置１を含むカラオケシステムの構成を示す図である。のカラオケシステムでは、手差しのＬＤプレーヤ４で再生されたカラオケ曲の音声および映像（音声等）を楽曲キャッシュ装置１を経由してスピーカ６、モニタ８から出力する。ＬＤラック５に収納されている複数枚のＬＤ（商標）のうち、所定の１枚がカラオケ店員などの利用者の手作業によってＬＤプレーヤ４にセットされ、再生終了ののちこのＬＤ利用者の手作業によってプレーヤ４からラック５に収納される。
【００１７】
複数枚のＬＤにはそれぞれ複数曲のカラオケ曲の音声等が記録されている。ＬＤは両面（Ａ面／Ｂ面）にカラオケ曲を記録したもの（両面ディスク）もあれば、片面（Ａ面のみ）にカラオケ曲を記録したもの（片面ディスク）もある。係員がＬＤをＬＤプレーヤ４にセットして曲番ボタンをオンすれば、ＬＤプレーヤにセットされた面に記録されている複数のカラオケ曲のうち、その曲番のカラオケ曲が再生される。全カラオケ曲の曲名を５０音順に記載したいわゆる目次本には、この「ディスク番号＋Ａ／Ｂ面の別＋ディスク面上の曲番」が曲番号として記載されている。
なお、以下の説明では、「ディスク番号＋Ａ／Ｂ面」を単にディスク番号と言う場合もある。
【００１８】
図１において、楽曲キャッシュ装置１はハードディスク２を備え、ＬＤプレーヤ４が再生したカラオケ曲の音声等を入力し、これをスピーカ６やモニタ８などの後段の装置に出力するとともに、ハードディスク２にキャッシュ（記憶）する。また、楽曲キャッシュ装置１は、一旦ハードディスク２にキャッシュしたカラオケ曲について、再度リクエストが発生したとき、すなわち再度同じ曲番号が入力されたときは、ＬＤプレーヤ４にそのカラオケ曲のＬＤをセットさせて再生するのではなく、ハードディスク２からそのカラオケ曲の音声等であるキャッシュデータを読み出してスピーカ６、モニタ８に出力する。
【００１９】
上記のようにカラオケ曲の再生操作は、係員がＬＤラック５から所定のＬＤを取り出してＬＤプレーヤ４にセットし、所定の曲番ボタンを押すことにより、ＬＤプレーヤ４がそのカラオケ曲を再生するというものであるが、これに加えて、楽曲キャッシュ装置１は赤外線リモコン装置９およびリモコン受光部１ｂを備えており、ＬＤをＬＤプレーヤ４にセットする前に赤外線リモコン装置９を用いて楽曲キャッシュ装置１に曲番号を入力させるようにしている。
【００２０】
楽曲キャッシュ装置１に曲番号が入力されると、楽曲キャッシュ装置１は、その曲番号のカラオケ曲の音声等をハードディスク２にキャッシュしているかを判断し、キャッシュしている場合には、そのキャッシュデータを読み出してスピーカ６およびモニタ８に出力する。一方、その曲番号のカラオケ曲の音声等をキャッシュしていない場合には、モニタ８に「○○（ディスク番号）番のディスクのＡ面をセットしてください」などの指示を表示する。そして、その後ＬＤプレーヤ４から入力されたカラオケ曲の音声等を上記曲番号のカラオケ曲の音声等であるとして、この音声等を上記曲番号を付してハードディスク２にキャッシュする。なお、上記指示の表示はモニタ８でなく、楽曲キャッシュ装置１に設けられている本体表示器１ｃに表示してもよい。また、同時にまたはその後再生するカラオケ曲の曲番を指示するようにしてもよい。
【００２１】
また、楽曲キャッシュ装置１はメモリソケット１ａを備え、このメモリソケットに管理楽曲のキャッシュデータの読み出しを認証する認証情報が書き込まれた認証ＲＯＭ３がセットされる。管理楽曲および認証情報については後述する。
【００２２】
図２はハードディスク２の記憶内容を示す図である。ハードディスク２には、この図に示すような記憶エリアが設定されている。同図（Ａ）はＴＯＣテーブルである。カラオケ曲が記録されたＬＤには、各ＬＤを他のＬＤから識別するための情報が記録されていない。上記のディスク番号は、ＬＤラック５で各ＬＤが収納されているスロットの番号であり、ＬＤにその番号がデータとして書き込まれているわけではない。そこで、各ＬＤをＡ面、Ｂ面毎に個別に識別可能な情報としてそのディスク面に記録されているカラオケ曲数と各カラオケ曲の演奏時間（ＴＯＣ：Ｔａｂｌｅ  ｏｆ  Ｃｏｎｔｅｎｔ）を読み取り、これを各ディスク面の識別情報としてＴＯＣテーブルに記憶する。これにより、以後ＬＤプレーヤ４にディスクがセットされたとき、そのディスクのＴＯＣを読み取ってどのディスクがセットされたか、およびセットされたディスクが正しいか否かを知ることができる。
【００２３】
同図（Ｂ）、（Ｃ）は、楽曲キャッシュエリアおよびキャッシュ曲番号テーブルを示す図である。ＬＤプレーヤ４から入力されたカラオケ曲の音声等は同図（Ｂ）の楽曲キャッシュエリアに曲番号を付してキャッシュデータとして記憶される。そして、その曲番号（ディスク番号＋Ａ／Ｂ面＋曲番）およびその演奏時間が前記キャッシュデータの記憶エリアを指し示す情報とともにキャッシュ曲番号テーブルに書き込まれる。
【００２４】
図３、図４は前記楽曲キャッシュ装置１の動作を示すフローチャートである。まず、利用者から曲番号が入力される（ｓ１）。この曲番号は、上記のようにディスク番号＋Ａ／Ｂ面＋曲番からなるものであり、楽曲キャッシュ装置１に付属する赤外線リモコン９から入力される。曲番号が入力されると、この曲番号がキャッシュ曲番号テーブルに存在するかを検索する（ｓ２）。この曲番号がキャッシュ曲番号テーブルに存在する場合には、ハードディスク２にこのカラオケ曲のキャッシュデータが存在することを意味するため、ｓ３の判断でｓ２０以下の動作に進む。一方、この曲番号がキャッシュ番号テーブルに存在しない、すなわちキャッシュデータが存在しない場合には、ｓ４以下に進む。
【００２５】
ｓ４では、モニタ８または装置の本体表示器１ｃにディスクのセットを促す表示をする。表示の内容は「○○（ディスク番号）番のディスクのＡ面をセットしてください」などである。そして、上記ディスク番号のディスク面のＴＯＣがＴＯＣテーブルに記憶されているかを判断し（ｓ６）、このディスク面のＴＯＣがＴＯＣテーブルに記憶されている場合には、ＬＤプレーヤ４にセットされたディスクのＴＯＣを読み取って、ＴＯＣテーブルに記憶されている同じディスク番号のＴＯＣとを比較する（ｓ９）。このＴＯＣの比較が一致した場合にはｓ１２以下の再生・キャッシュ処理を実行し、一致しない場合にはＬＤプレーヤ４にセットされたディスクが間違っていると判断して入れ換えを指示して（ｓ１１）、ｓ５に戻る。
【００２６】
ＬＤプレーヤ４にセットされたＬＤから読み取ったＴＯＣとＴＯＣテーブルに記憶されていたＴＯＣとが一致した場合には、曲番号で指定された（ディスク面上の）曲番の曲の再生を指示する（ｓ１２）。この指示は、たとえば「○○（曲番）番の曲番ボタンを押してください」などを表示することで行われる。また、今回リクエストされたカラオケ曲のディスクが初めてセットされたディスクであってＴＯＣがまだＴＯＣテーブルに記憶されていないものである場合には、ＬＤプレーヤ４を介してセットされたディスクのＴＯＣを読み出し（ｓ７）、これをＴＯＣテーブルに記憶したのち（ｓ８）、ｓ１２に進む。
【００２７】
上記指示に応じて利用者がＬＤプレーヤ４の曲番ボタンを押すと、ＬＤプレーヤ４は、その曲番のカラオケ曲の再生をスタートする。楽曲キャッシュ装置１は、ＬＤプレーヤ４から入力された音声等を増幅等してスピーカ６、モニタ８に出力するとともに、並行してこの音声等をハードディスク２にキャッシュする（ｓ１３）。この処理において、音声および映像をＭＰＥＧ圧縮したものをハードディスク２にキャッシュする。楽曲キャッシュ装置１はこのためのエンコーダおよび再生のためのデコーダを内蔵している。そして、曲が終了すれば（ｓ１４）、キャッシュ曲番号テーブルを更新して（ｓ１５）、動作を終了する。
【００２８】
一方、曲番号が入力されたカラオケ曲の音声等が既にハードディスク２にキャッシュされている場合にはｓ３の判断でｓ２０に進む。ｓ２０ではこの曲が管理楽曲であるかを判断する。管理楽曲とは、著作権者または版権者の要求により厳格な著作権、版権の認証が要求されるカラオケ曲であり、ハードディスク２にキャッシュデータが存在しても、著作権、版権を得て制作されたＬＤの存在を確認しなければ、このキャッシュデータを読み出すことが禁じられいるものである。この楽曲キャッシュ装置では、ＬＤを所有しておりキャッシュデータを読み出す権原が存することを証明する認証情報が書き込まれた認証ＲＯＭ３をソケット１ａにセットし、管理楽曲のキャッシュデータを読み出すとき、この認証ＲＯＭ３を確認することでＬＤの存在を確認する処理に代えている。
【００２９】
上記管理楽曲の場合には認証ＲＯＭ３をチェックし（ｓ２１）、リクエストされたカラオケ曲の認証情報が書き込まれている場合には（ｓ２２）、ハードディスク２からこのカラオケ曲のキャッシュデータを読み出して再生し（ｓ２３）、これをスピーカ６、マイク８に出力する。曲が終了したとき（ｓ２４）動作を終える。
【００３０】
一方、管理楽曲でない場合にはｓ２０から直接ｓ２３に進む。また、管理楽曲であるが認証ＲＯＭ３に認証情報が書き込まれていない場合にはＬＤでこのカラオケ曲を演奏するためｓ４にもどる。
【００３１】
このように、手差しのＬＤプレーヤ４の場合でも、リモコン装置９を用いて楽曲キャッシュ装置１に曲番号を入力し、モニタ８または本体表示器１ｃにディスク番号や曲番を表示するようにしたことにより、このシステムを飲食店に設置した場合に、飲食店の顧客は現在普及している音源カラオケ装置のようにリモコンで曲番号を入力することができ、店舗係員は表示を見てディスクのセットや曲番の指定をすることができるようになる。
【００３２】
以上は、手差しのＬＤプレーヤ４を用いたカラオケシステムに適用される楽曲キャッシュ装置について説明したが、図５〜図７を参照してＬＤチェンジャを用いたカラオケシステムに用いられる楽曲キャッシュ装置ついて説明する。
ここで、ＬＤチェンジャとは、複数枚のＬＤを内部のラックに収容し、外部接続されている選曲コマンダから指示された曲番号に対応するディスクを自動的にトレイにセットして自動再生する装置である。ＬＤチェンジャにおいても、ディスク番号は、ディスクを収容するラックの番号およびディスクの裏表の向きによって決定される。
【００３３】
図５において、選曲コマンダ１４は、リモコン装置などの曲番号入力機能を備えており、利用者から入力される曲番号をＬＤチェンジャ１５に向けて出力する。ＬＤチェンジャ１５は、入力された曲番号のディスクをトレイに自動的にセットし、曲番号で指示された曲番のカラオケ曲を自動的に再生する。
【００３４】
そして、この選曲コマンダ１４とＬＤチェンジャ１５との間に楽曲キャッシュ装置１１が接続されている。楽曲キャッシュ装置１１は、選曲コマンダ１４から入力されたリクエストの曲番号がキャッシュ曲番号テーブルに存在するかを検索し、キャッシュ曲テーブルに存在する場合にはハードディスク１２からそのキャッシュデータを読み出して選曲コマンダ１４に出力し、リクエストされた曲番号がキャッシュ曲番号テーブルに存在しない場合にはＬＤチェンジャ１５にこの曲番号をそのまま送信してＬＤチェンジャ１５にそのカラオケ曲を再生させる。ＬＤチェンジャ１５が再生した音声等は楽曲キャッシュ装置１１に入力されるが、楽曲キャッシュ装置１１は、この音声等をそのまま選曲コマンダ１４に出力するとともに、ハードディスク１２にこれをキャッシュする。
【００３５】
また、この楽曲キャッシュ装置１１も、管理楽曲の認証情報を記憶した認証ＲＯＭ１３がセットされるメモリソケット１１ａを備えている。
なお、この楽曲キャッシュ装置１１のハードディスク１２の記憶エリアの構成は、図１、図２に示した楽曲キャッシュ装置１のハードディスク２の記憶内容と同じ構成でよい。
【００３６】
選曲コマンダ１４は、アンプやミキサなどを内蔵しており、入力された音声等をスピーカ１６、モニタ１８等に出力するとともに、マイク１７から入力された歌唱音声をカラオケ曲の音声とミキシングしてスピーカ１６から出力する。
【００３７】
図６、図７のフローチャートを参照してこの楽曲キャッシュ装置１１の動作を説明する。まず、利用者が選曲コマンダ１４に曲番号を入力すると、この曲番号が楽曲キャッシュ装置１１に転送される（ｓ３０）。曲番号が入力されると、この曲番号がキャッシュ曲番号テーブルに存在するかを検索する（ｓ３１）。この曲番号がキャッシュ曲番号テーブルに存在する場合には、ハードディスク１２にこのカラオケ曲のキャッシュデータが存在することを意味するため、ｓ３２の判断でｓ４１以下の動作に進む。一方、この曲番号がキャッシュ番号テーブルに存在しない、すなわちキャッシュデータが存在しない場合には、ｓ３３以下の動作に進む。
【００３８】
ｓ３３では、ＬＤチェンジャ１５に曲番号を転送して所定のディスクをセットしてカラオケ演奏をするように指示する。そして、上記曲番号で指定されるディスク面のＴＯＣがＴＯＣテーブルに記憶されているかを判断し（ｓ３４）、ＴＯＣがまだＴＯＣテーブルに記憶されていないものである場合には、ＬＤチェンジャ１５にセットされたディスク面のＴＯＣを読み出し（ｓ３５）、これをＴＯＣテーブルに記憶したのち（ｓ３６）、ｓ３７に進む。既にＴＯＣが記憶されているディスクの場合にはｓ３４から直接ｓ３７に進む。
【００３９】
上記指示に応じてＬＤチェンジャ１５はその指示された曲番号のカラオケ曲を再生するため、音声等が入力されると（ｓ３７）、楽曲キャッシュ装置１１は、ＬＤチェンジャ１１から入力された音声等を増幅等してスピーカ１６、モニタ１８に出力するとともに、並行してこの音声等をハードディスク１２にキャッシュする（ｓ３８）。この処理において、音声および映像をＭＰＥＧ圧縮したものをハードディスク１２にキャッシュする。楽曲キャッシュ装置１１はこのためのエンコーダおよび再生のためのデコーダを内蔵している。そして、曲が終了すれば（ｓ３９）、キャッシュ曲番号テーブルを更新して（ｓ４０）、動作を終了する。
【００４０】
一方、曲番号が入力されたカラオケ曲の音声等が既にハードディスク２にキャッシュされている場合にはｓ３２の判断でｓ４１に進む。ｓ４１ではこの曲が管理楽曲であるかを判断する。管理楽曲の場合には認証ＲＯＭ１３をチェックし（ｓ４２）、リクエストされたカラオケ曲の認証情報が書き込まれている場合には（ｓ４３）、ハードディスク１２からこのカラオケ曲のキャッシュデータを読み出して再生し（ｓ４４）、これをスピーカ１６、マイク１８に出力する。曲が終了したとき（ｓ４５）動作を終える。
一方、管理楽曲でない場合にはｓ４１から直接ｓ４４に進む。また、管理楽曲であるが認証ＲＯＭ１３に認証情報が書き込まれていない場合にはＬＤでこのカラオケ曲を演奏するためｓ３３にもどる。
【００４１】
なお、図５の構成では選曲コマンダと楽曲キャッシュ装置とが別体になっているが、これらを一体に構成してもよい。その場合でも、その一体になった楽曲キャッシュ装置の動作は、ｓ３０でリモコンからの曲番号入力を受け付けるようにすれば、図６、図７とほぼ同様の動作でよい。
【００４２】
図８はこの発明の他の実施形態である音源カラオケ機能を備えた楽曲キャッシュ装置のブロック図である。この楽曲キャッシュ装置は手差しのＬＤプレーヤ、ＬＤチェンジャのいずれを接続することも可能である。
【００４３】
制御部２０には、ハードディスク２１、楽音形成部２２、ミキサ２３、オーディオセレクタ２４、オーディオエンコーダ・デコーダ２５、文字パターン合成部２６、背景映像再生部２７、画像合成部２８、ビデオエンコーダ・デコーダ２９、ビデオセレクタ３０、リモコン受信部３１、外部インタフェース３３、通信制御部３４などが接続されている。
【００４４】
ＬＤプレーヤ（ＬＤチェンジャ）とは、オーディオ入力端子３６、ビデオ入力端子３７および外部インタフェース３３を介して接続されている。オーディオ入力端子３６、ビデオ入力端子３７は、たとえばピンジャック等で構成される。また、外部インタフェース３３はＲＳ２３２Ｃなどのシリアルインタフェースで構成される。
【００４５】
ハードディスク２１には、図２に示すようなキャッシュ関係のデータが記憶されるとともに、楽音形成部２２を駆動してカラオケ曲を演奏するためのＭＩＤＩシーケンスデータである楽曲データが記憶されている。各楽曲データは、たとえば６桁の数字で識別されるような、上記ＬＤに記録されているカラオケ曲とは異なる構成の曲番号で識別される。なお、同じカラオケ曲が、ＭＩＤＩシーケンスデータである楽曲データとＬＤの音声等として記録されていても構わない。
【００４６】
リモコン受信部３１が赤外線リモコン装置３２から入力された曲番号を受信すると制御部２０はその曲番号がＬＤの曲番号であるか楽曲データの曲番号であるかを判断する。ＬＤの曲番号の場合には、上記と同様にそのカラオケ曲の音声等をキャッシュしているかを判断し、キャッシュしている場合にはハードディスク２１からそのデータを読み出して再生し、キャッシュしていない場合には外部インタフェース３３を介して曲番号をＬＤプレーヤ（ＬＤチェンジャ）に出力し、ＬＤプレーヤにそのカラオケ曲を再生させる。
【００４７】
ＬＤプレーヤが再生した音声は、音声入力端子３６から入力され、オーディオセレクタ２４を介して後段に出力されるとともに、オーディオエンコーダ・デコーダ２５によってＭＰＥＧ圧縮され、制御部２０を介してハードディスク２１にキャッシュされる。また、ＬＤプレーヤが再生した映像は、映像入力端子３７から入力され、ビデオセレクタ３０を介して後段に出力されるとともに、ビデオエンコーダ・デコーダ２９によってＭＰＥＧ圧縮され、制御部２０を介してハードディスク２１にキャッシュされる。
【００４８】
一方、リクエストされたＬＤのカラオケ曲の音声等をハードディスク２１にキャッシュしている場合には、ハードディスク２１からこのキャッシュデータを読み出してオーディオエンコーダ・デコーダ２５およびビデオエンコーダ・デコーダ２９に入力してデコードし、オーディオ信号はオーディオセレクタ２４を介して後段に出力し、ビデオ信号はビデオセレクタ３０を介して後段に出力する。
【００４９】
一方、楽曲データのカラオケ曲がリクエストされた場合にはハードディスク２１から楽曲データを読み出して楽音形成部２２および文字パターン合成部２６に供給し、楽音信号を形成するとともに歌詞テロップの文字パターンを形成する。楽音形成部２２が形成した複数チャンネルの楽音信号はミキサ２３でミキシングされオーディオセレクタ２４を介して後段に出力される。
【００５０】
また、制御部２０は上記楽曲データで演奏するカラオケ曲に合わせた背景映像を背景映像再生部２７で再生して画像合成部２８に入力する。画像合成部２８には文字パターン合成部２６が合成した歌詞テロップの文字パターンも入力される。画像合成部は背景映像の上に歌詞テロップの文字パターンをスーパーインポーズ合成し、この合成映像をビデオセレクタ３０を介して後段に出力する。
【００５１】
オーディオセレクタ２４の後段の装置は、たとえばアンプ４１、スピーカ４２、マイク４３などで構成される。また、ビデオセレクタ３０の後段の装置は、モニタ４４などで構成される。
【００５２】
なお、この楽曲キャッシュ装置も管理楽曲の認証を行うための認証情報を記憶した認証ＲＯＭ３をセットできるようにメモリソケット３８を備えている。
【００５３】
なお、上記背景映像の映像データをハードディスク２１に記憶し、背景映像を制御部２０が読み出して再生するようにしてもよい。また、文字パターンの合成も制御部２０が行うようにしてもよい。
【００５４】
また、この楽曲キャッシュ装置は、通信制御部３４により、電話回線等を介してセンタ装置４０と接続され、楽曲データなどがダウンロードされる。また、上記認証情報をセンタ４０を介してダウンロードするようにしてもよい。
【００５５】
図９は上記通信カラオケ機能を備えた楽曲キャッシュ装置の動作を示すフローチャートである。赤外線リモコン装置３２から送信された曲番号をリモコン受信部３１が受信すると（ｓ５０）、この曲番号がＬＤのカラオケ曲の曲番号であるか楽曲データの曲番号であるかを判断する（ｓ５１）。楽曲データのカラオケ曲がリクエストされた場合にはｓ５３に進み、この曲番号に対応する楽曲データを読み出して（ｓ５３）、対応する背景映像を選択する（ｓ５４）。そしてオーディオセレクタ２４をミキサ２３側に切り換えるとともにビデオセレクタ３０を画像合成部２８側に切り換えて（ｓ５５）、カラオケ曲の演奏をスタートする（ｓ５６）。
【００５６】
一方、入力された曲番号がＬＤのカラオケ曲を指定する曲番号であった場合には、図３、４または図６、７の動作に進む。この動作において、ＬＤプレーヤ（ＬＤチェンジャ）から映像を入力する場合、ハードディスク２１にキャッシュしている音声等を再生する場合でオーディオセレクタ２４、ビデオセレクタ３０がそれぞれ所定の入力に切り換えられる。
【００５７】
なお、上記処理動作では、管理楽曲の音声等は、これをキャッシュしたのち、このキャッシュデータの読み出しを許可するか否かを認証ＲＯＭの認証情報に基づいて判断するようにしているが、管理楽曲については、再生時に認証情報が存在するか否かを確認し、認証情報が存在する場合のみキャッシュするようにしてもよい。
【００５８】
また、この実施形態ではディスクメディアとしてレーザディスク（ＬＤ）を用いているが、ディスクメディアとしてＣＤなど他のメディアを適用することも可能である。
【００５９】
【発明の効果】
以上のようにこの発明によれば、ＬＤなどのディスクメディアに記録されている映像をその再生の機会に並行して記憶（キャッシュ）し、その後同じ映像がリクエストされた場合にはこのキャッシュデータを読み出してディスクメディアの再生に代えることができるため、ディスクメディアを再生装置にセットする手間および時間をなくすことができ、省力化および迅速化を実現することができるとともに、ディスクメディアおよびこれを再生する再生装置の劣化も防止することができる。また、この発明によれば、ＬＤなどのディスクメディアに記録されたＴＯＣを記憶手段で記憶しておき、入力手段で識別データ（例えば曲番号）の入力を受け付けると、ＴＯＣの記憶の有無を確認して、ＴＯＣがＴＯＣテーブルに無い場合にはＴＯＣテーブルに記録し、ＴＯＣがＴＯＣテーブルに有る場合には入力を受け付けた識別データに対応するものか否かを確認して、その結果に応じた処理を行うので、どのディスクメディアがセットされたか、及びセットされたディスクメディアが正しいか否かを知ることができ、ディスクメディアのセット間違いがなくなるとともに、記憶する映像に識別データのラベルを付すことができるようになる。
【図面の簡単な説明】
【図１】この発明の実施形態である楽曲キャッシュ装置を含むカラオケシステムの構成図
【図２】同楽曲キャッシュ装置のハードディスクの記憶エリアを説明する図
【図３】同楽曲キャッシュ装置の動作を示すフローチャート
【図４】同楽曲キャッシュ装置の動作を示すフローチャート
【図５】この発明の他の実施形態である楽曲キャッシュ装置を含むカラオケシステムの構成図
【図６】同楽曲キャッシュ装置の動作を示すフローチャート
【図７】同楽曲キャッシュ装置の動作を示すフローチャート
【図８】この発明のさらに他の実施形態である音源カラオケ機能を備えた楽曲キャッシュ装置のブロック図
【図９】同楽曲キャッシュ装置の動作を示すフローチャート
【符号の説明】
１…楽曲キャッシュ装置、１ａ…メモリソケット、１ｂ…リモコン受光部、１ｃ…本体表示器、２…ハードディスク、３…認証ＲＯＭ、４…（手差しの）ＬＤプレーヤ、５…ＬＤラック、６…スピーカ、７…マイク、８…モニタ、９…赤外線リモコン装置、
１１…楽曲キャッシュ装置、１１ａ…メモリソケット、１１ｃ…本体表示器、１２…ハードディスク、１３…認証ＲＯＭ、１４…選曲コマンダ、１５…ＬＤチェンジャ、１６…スピーカ、１７…マイク、１８…モニタ、
２０…制御部、２１…ハードディスク、２２…楽音形成部、２３…ミキサ、２４…オーディオセレクタ、２５…オーディオエンコーダ・デコーダ、２６…文字パターン合成部、２７…背景映像再生部、２８…画像合成部、２９…ビデオエンコーダ・デコーダ、３０…ビデオセレクタ、３１…外部インタフェース、３２…赤外線リモコン装置、３３…外部インタフェース、３４…通信制御部、３８…メモリソケット、
４０…センタ装置、４１…アンプ、４２…スピーカ、４３…マイク、４４…モニタ
【図１】
0004061903.tif 000002
【図２】
0004061903.tif 000003
【図３】
0004061903.tif 000004
【図４】
0004061903.tif 000005
【図５】
0004061903.tif 000006
【図６】
0004061903.tif 000007
【図７】
0004061903.tif 000008
【図８】
0004061903.tif 000009
【図９】
0004061903.tif 000010